(57)【特許請求の範囲】
【請求項１】
ワンタイムパスワード生成器の製造方法であって、
赤外線受信モジュールを含むワンタイムパスワード生成器のカード加工を行う工程（ａ）と、
前記赤外線受信モジュールを介した赤外線通信により前記ワンタイムパスワード生成器に所定の情報を入力する工程（ｂ）と、
前記赤外線受信モジュールを破壊し無効化する工程（ｃ）と、
を具備することを特徴とするワンタイムパスワード生成器の製造方法。
【請求項２】
ワンタイムパスワード生成器の製造方法であって、
赤外線受信モジュールと接続するための信号線を含むワンタイムパスワード生成器のカード加工を行う工程（ａ’）と、
前記信号線と接続した赤外線受信モジュールを介した赤外線通信により前記ワンタイムパスワード生成器に所定の情報を入力する工程（ｂ’）と、
前記信号線を切断する工程（ｃ’）と、
を具備することを特徴とするワンタイムパスワード生成器の製造方法。
【請求項３】
前記工程（ａ）において、カード加工された前記ワンタイムパスワード生成器の一部に、赤外線を通過させるための通過部が形成されていることを特徴とする請求項１記載のワンタイムパスワード生成器の製造方法。
【請求項４】
前記工程（ｂ）または前記工程（ｂ’）の後に、前記ワンタイムパスワード生成器の表示部に表示される所定の情報に基づき、前記ワンタイムパスワード生成器に前記所定の情報の入力が正しく行われたかを判定する工程（ｄ）を更に具備することを特徴とする請求項１から請求項３のいずれかに記載のワンタイムパスワード生成器の製造方法。
【請求項５】
ワンタイムパスワード生成器の製造システムであって、
ワンタイムパスワード生成器に入力する所定の情報を記憶する記憶装置と、
赤外線受信モジュールを含むワンタイムパスワード生成器のカード加工を行うカード加工装置と、
前記赤外線受信モジュールを介した赤外線通信により前記ワンタイムパスワード生成器に前記所定の情報を入力する赤外線入力装置と、
前記赤外線受信モジュールを破壊し無効化する赤外線通信無効化装置と、
を具備することを特徴とするワンタイムパスワード生成器の製造システム。
【請求項６】
ワンタイムパスワード生成器の製造システムであって、
ワンタイムパスワード生成器に入力する所定の情報を記憶する記憶装置と、
赤外線受信モジュールと接続するための信号線を含むワンタイムパスワード生成器のカード加工を行うカード加工装置と、
前記信号線と接続した赤外線受信モジュールを介した赤外線通信により前記ワンタイムパスワード生成器に前記所定の情報を入力する赤外線入力装置と、
前記信号線を切断する赤外線通信無効化装置と、
を具備することを特徴とするワンタイムパスワード生成器の製造システム。
【請求項７】
前記カード加工装置は、一部に赤外線を通過させるための通過部が形成された前記ワンタイムパスワード生成器をカード加工し製造することを特徴とする請求項５記載のワンタイムパスワード生成器の製造システム。
【請求項８】
前記ワンタイムパスワード生成器に前記所定の情報の入力が正しく行われたかを判定するために、前記ワンタイムパスワード生成器の表示部に表示される所定の情報を撮影する入力判定装置を更に具備することを特徴とする請求項５から請求項７のいずれかに記載のワンタイムパスワード生成器の製造システム。
【発明の詳細な説明】
【技術分野】
【０００１】
本発明はワンタイムパスワード生成器の製造方法、ワンタイムパスワード生成器の製造システムに関する。
【背景技術】
【０００２】
ネットバンキングなどの本人認証においては、ワンタイムパスワード生成器が用いられる場合がある。ワンタイムパスワード生成器は、例えば、ネットバンキングに用いられる１回限りのパスワードを表示し、ネットバンキングの際にこれを入力して本人認証として用いることができる。パスワードは１回限りとするので、ネットバンキングにおいて高度なセキュリティを保つことができる。特許文献１には、このようなワンタイムパスワード生成器について記載されている。
【０００３】
ところで、ワンタイムパスワード生成器を製造する際は、例えばワンタイムパスワード生成のための種として用いる顧客ごとに固有の識別情報と、ネットバンキングサービスに係るサーバとの接続時に用いる暗号鍵情報等の情報をワンタイムパスワード生成器のメモリに入力する必要がある。
【０００４】
従来、ワンタイムパスワード生成器の製造過程においては、これらの情報は予めＩＣチップの揮発性記憶領域であるＥＥＰＲＯＭ等に記憶され、その後このＩＣチップ等を基材に組み付ける等のカード加工が行われていた。
【先行技術文献】
【特許文献】
【０００５】
【特許文献１】特開２００７−３１７０９１号公報
【発明の概要】
【発明が解決しようとする課題】
【０００６】
しかしながら、このような製造過程では、識別情報や鍵情報をＩＣチップ等に入力、発行した後で、カード加工の工程等で不良が発生すると、ワンタイムパスワード生成器の欠番が発生したり、加工工程で順番が乱れるといった不都合が生じやすいという問題があった。
【０００７】
本発明は、上記した問題に鑑みてなされたもので、カード加工の際に不良が発生しても不都合が生じず、製造に係る負担を低減することが可能なワンタイムパスワード生成器の製造方法等を提供するものである。
【課題を解決するための手段】
【０００８】
前述の目的を達するための第１の発明は、ワンタイムパスワード生成器の製造方法であって、赤外線受信モジュールを含むワンタイムパスワード生成器のカード加工を行う工程（ａ）と、前記赤外線受信モジュールを介した赤外線通信により前記ワンタイムパスワード生成器に所定の情報を入力する工程（ｂ）と、前記赤外線受信モジュールを破壊し無効化する工程（ｃ）と、を具備することを特徴とするワンタイムパスワード生成器の製造方法である。
【０００９】
前述の目的を達するための第２の発明は、ワンタイムパスワード生成器の製造方法であって、赤外線受信モジュールと接続するための信号線を含むワンタイムパスワード生成器のカード加工を行う工程（ａ’）と、前記信号線と接続した赤外線受信モジュールを介した赤外線通信により前記ワンタイムパスワード生成器に所定の情報を入力する工程（ｂ’）と、前記信号線を切断する工程（ｃ’）と、を具備することを特徴とするワンタイムパスワード生成器の製造方法である。
【００１０】
第１の発明のワンタイムパスワード生成器の製造方法では、前記工程（ａ）において、カード加工された前記ワンタイムパスワード生成器の一部に、赤外線を通過させるための通過部が形成されている。
また、第１、第２の発明のワンタイムパスワード生成器の製造方法は、前記工程（ｂ）または前記工程（ｂ’）の後に、前記ワンタイムパスワード生成器の表示部に表示される所定の情報に基づき、前記ワンタイムパスワード生成器に前記所定の情報の入力が正しく行われたかを判定する工程（ｄ）を更に具備してもよい。
【００１１】
前述の目的を達するための第３の発明は、ワンタイムパスワード生成器の製造システムであって、ワンタイムパスワード生成器に入力する所定の情報を記憶する記憶装置と、赤外線受信モジュールを含むワンタイムパスワード生成器のカード加工を行うカード加工装置と、前記赤外線受信モジュールを介した赤外線通信により前記ワンタイムパスワード生成器に前記所定の情報を入力する赤外線入力装置と、前記赤外線受信モジュールを破壊し無効化する赤外線受信通信無効化装置と、を具備することを特徴とするワンタイムパスワード生成器の製造システムである。
【００１２】
前述の目的を達するための第４の発明は、ワンタイムパスワード生成器の製造システムであって、ワンタイムパスワード生成器に入力する所定の情報を記憶する記憶装置と、赤外線受信モジュールと接続するための信号線を含むワンタイムパスワード生成器のカード加工を行うカード加工装置と、前記信号線と接続した赤外線受信モジュールを介した赤外線通信により前記ワンタイムパスワード生成器に前記所定の情報を入力する赤外線入力装置と、前記信号線を切断する赤外線通信無効化装置と、を具備することを特徴とするワンタイムパスワード生成器の製造システムである。
【００１３】
第３の発明のワンタイムパスワード生成器の製造システムにおいて、前記カード加工装置は、一部に赤外線を通過させるための通過部が形成された前記ワンタイムパスワード生成器をカード加工し製造する。
第３、第４の発明のワンタイムパスワード生成器の製造システムは、前記ワンタイムパスワード生成器に前記所定の情報の入力が正しく行われたかを判定するために、前記ワンタイムパスワード生成器の表示部に表示される所定の情報を撮影する入力判定装置を更に具備することも望ましい。
【００１４】
上記構成により、カード加工後に識別情報等の入力を行うので、カード加工の際に不良が発生しても、不良のないカードに対する識別情報等の入力を行えばよいので、識別情報の入力順が乱れるなどの不都合が生じず、製造に係る負担を低減することが可能になる。識別情報等の入力は、カードに形成された通過部を介した赤外線通信など、赤外線受信モジュールを用いて行うことにより製造コストの低減が可能になり、また、当該赤外線受信モジュールは識別情報等の入力後破壊する、もしくは赤外線受信モジュールとの接続に用いた信号を切断するので、以降赤外線受信モジュールを介した入力等が不可能になり、耐タンパ性を維持し、識別番号や鍵情報の改ざん、盗み見などを防ぐことができる。
【発明の効果】
【００１５】
本発明により、カード加工の際に不良が発生しても不都合が生じず、製造の際の負担の低減が可能なワンタイムパスワード生成器の製造方法等を提供することができる。
【図面の簡単な説明】
【００１６】
【図１】ワンタイムパスワード生成器の概略構成を示す図
【図２】ワンタイムパスワード生成器の製造システムを示す図
【図３】ワンタイムパスワード生成器の製造方法を示す図
【図４】ワンタイムパスワード生成器の概略構成を示す図
【図５】ワンタイムパスワード生成器の概略構成を示す図
【図６】ワンタイムパスワード生成器の製造方法を示す図
【図７】ワンタイムパスワード生成器の概略構成を示す図
【発明を実施するための形態】
【００１７】
以下図面を参照しながら、本発明のワンタイムパスワード生成器の製造方法等の実施形態について説明する。
【００１８】
まず、本実施形態のワンタイムパスワード生成器の製造方法により製造されるワンタイムパスワード生成器の構成について説明する。図１は、本実施形態のワンタイムパスワード生成器の製造方法において、カード加工後のワンタイムパスワード生成器１の概略構成を示す図である。
【００１９】
ワンタイムパスワード生成器１は、ＩＣチップ３、電源５、表示部７、およびスイッチ９を有するとともに、赤外線受信モジュール１１を有する。但し、赤外線受信モジュール１１は、後の製造工程において無効化される。以上の構成要素は基材（不図示）に挟まれ、あるいは基材上に配置され、ワンタイムパスワード生成器１は全体としてカード状の形状を有する。
【００２０】
ＩＣチップ３には、ＣＰＵ、ＲＡＭ、ＲＯＭ、ＥＥＰＲＯＭ等の制御部、入出力部等がバス等で接続されたものが搭載されており、電源５からの電力供給を受けて作動し、ワンタイムパスワード生成器１の各部の動作を制御する。後の製造工程では、ワンタイムパスワード生成に用いる顧客ごとに固有の識別番号などの識別情報や、通信の際の暗号／復号に用いる鍵情報等の所定の情報が、揮発性の記憶領域であるＥＥＰＲＯＭに入力、格納される。またＲＯＭ等には、上記識別情報を種としてワンタイムパスワードの生成を行うためのプログラムをはじめ、ワンタイムパスワード生成器１全体の動作の制御を行うためのプログラムが格納されている。
【００２１】
電源５は、例えば薄型電池であり、ワンタイムパスワード生成器１の有効期限の間ＩＣチップ３や表示部７に電力を供給可能であるとともに、製造工程時に赤外線受信モジュール１１を動作させる電力源である。電源５としては、カード状のワンタイムパスワード生成器１に合わせた薄さのものを用いることができる。
【００２２】
表示部７は、例えば液晶ディスプレイであり、ＩＣチップ３の制御部により生成したワンタイムパスワードを表示する。カード状のワンタイムパスワード生成器１の厚みに合わせた薄さの液晶ディスプレイを用いることができる。
【００２３】
スイッチ９は、所定の方法で押下することによって、表示部７に識別番号やワンタイムパスワードを表示させたり、ＩＣチップ３のＥＥＰＲＯＭに鍵情報や識別情報を記憶させるためのモードに移行させたりすることができる。
【００２４】
赤外線受信モジュール１１は、受光部、通信部等を有し、ＩＣチップ３に信号線にて接続され、所定の赤外線照射のパターンに基づき、顧客ごとの識別情報と鍵情報をＩＣチップ３のＥＥＰＲＯＭに入力、格納させるためのものである。但し、製造工程において赤外線受信モジュール１１は無効化され、製造後のカードにおいては利用不可能となる。
【００２５】
次に、ワンタイムパスワード生成器１の製造システムについて図２を用いて説明する。図２は、ワンタイムパスワード生成器１の製造システム１００を示す図である。
【００２６】
ワンタイムパスワード生成器１の製造システム１００は、制御装置１０１、カード加工装置１０３、印刷装置１０４、赤外線入力装置１０５、入力判定装置１０７、赤外線通信無効化装置１０９、搬送装置１１１等を備える。
【００２７】
制御装置１０１は、ＣＰＵ、ＲＡＭ、ＲＯＭ等の制御部や入出力部等を備え、サーバ２００（記憶装置）に接続される。制御装置１０１は、製造システム１００の各装置と接続されこれらを制御し、サーバ２００に予め格納した、カードを発行する顧客ごとの識別情報２０１と鍵情報２０３のワンタイムパスワード生成器１への入力など、製造システム１００の各装置による、ワンタイムパスワード生成器１の製造工程の制御を行う。
【００２８】
カード加工装置１０３は、基材間にＩＣチップ３、電源５、表示部７、およびスイッチ９、赤外線受信モジュール１１等を配置しカード加工を行うもので、既知の装置を使用あるいは適用することができる。
【００２９】
印刷装置１０４は、カード加工されたワンタイムパスワード生成器１の外面に模様、文字、記号等の印刷を行なうもので、既知の種々の装置を適宜用いることができる。必要に応じて顧客の識別情報等の印字を行なうことも可能で、この場合、サーバ２００に格納された顧客ごとの識別情報２０１等を参照、取得して印字処理を行う。
【００３０】
赤外線入力装置１０５は、赤外線送信器等を備え、赤外線受信モジュール１１を介した赤外線通信により顧客ごとの識別情報２０１および鍵情報２０３のワンタイムパスワード生成器１への入力を行う。入力は、予め定められたデータ順（顧客順）で行われる。
【００３１】
入力判定装置１０７は、例えば、制御部やカメラ装置等の撮像装置を備え、ワンタイムパスワード生成器１の表示部７に表示される識別情報２０１を撮像し、画像データとして取得する。画像データは、識別情報２０１等が正しく入力されたかの判定に用いられ、例えば入力判定装置１０７の制御部により、画像データに対する画像解析を行い識別情報２０１を取得し、サーバ２００内の対応する識別情報２０１との比較により自動的に判定を行うこともできるし、当該画像データの画像によりオペレータが判定してもよい。なお、入力判定装置１０７は必要に応じて設けられる。
【００３２】
赤外線通信無効化装置１０９は、ワンタイムパスワード生成器１の赤外線受信モジュール１１を無効化するもので、例えばレーザ照射装置等を備え、ワンタイムパスワード生成器１の赤外線受信モジュール１１の受光部をヤグレーザ等のレーザなどにより破壊する。
【００３３】
搬送装置１１１は、処理中のワンタイムパスワード生成器１を搬送するもので、例えばコンベア等である。
【００３４】
次に、ワンタイムパスワード生成器１の製造方法について図１〜図４等を用いて説明する。
【００３５】
まず、図２に示す製造システム１００のカード加工装置１０３にて、図１に示すように、基材（不図示）間もしくは基材上に上記ＩＣチップ３、電源５、表示部７、およびスイッチ９、赤外線受信モジュール１１を配置してカード加工を行う。なお、カードの外面には印刷装置１０４による印刷も行われる。印刷の際には識別情報２０１等の顧客情報を印字してもよい。なお、識別情報２０１等の印字はこれらを印字したシールの貼付などにかえてもよい。また、カード加工等が正しく行われたかのチェックを検査装置（不図示）により自動的にあるいは人手により行ない、カード加工や印刷の際の不良品を排除することもできる。
【００３６】
ここで、図３（ａ）に示すように、赤外線受信モジュール１１を覆い、その受光部の向きに対応する側の基材１３の、当該受光部に対応する位置には、赤外線、またレーザが通過可能な通過部１５を設けておく。通過部１５は、例えば赤外線やレーザを透過する透明の部材により構成される。材質は赤外線やレーザの透過を妨げないよう適宜定めることができる。また、その他、通過部１５は穴部であってもよい。なお、通過部１５の位置では例えば後述する赤外線やレーザを透過する色材による印刷を行っておく。
【００３７】
そして、赤外線入力装置１０５は、例えば押下装置（不図示）によりスイッチ９を所定の方法で押下するなどして、識別情報や暗号鍵情報を入力するモードに移行し、赤外線送信機２１により通過部１５を介して赤外線受信モジュール１１の受光部に所定のパターンで赤外線の照射を行うことで赤外線通信を行い、顧客ごとの識別情報２０１と鍵情報２０３を赤外線受信モジュール１１からＩＣチップ３のＥＥＰＲＯＭに入力し格納する。なお、パスワード生成のアルゴリズムなど、各ワンタイムパスワード生成器１で共通の情報については、カード加工前に別に入力しておけばよい。
【００３８】
その後、入力判定装置１０７は、図３（ｂ）に示すように、例えば押下装置（不図示）により所定の態様でスイッチ９を押下するなどして、表示部７に識別情報２０１等を表示させる。これを撮像装置２２等で撮像し、この画像情報に基づき、正しく入力がおこなわれたかの判定、確認がおこなわれる。これは、前述したように入力判定装置１０７が自動的に行うものであってもよいし、オペレータが行うものであってもよい。なお、入力判定装置１０７を省略し上記の処理を全て人手で行なうこともできる。識別情報２０１等が正しく入力されていない場合は、例えば、再度赤外線通信による入力を行うこともできる。
【００３９】
次に、赤外線通信無効化装置１０９は、図３（ｃ）に示すように、レーザ装置２３により通過部１５を介してレーザを照射することにより赤外線受信モジュール１１の受光部を破壊し、赤外線受信モジュール１１を無効化し、製造を終了する。レーザとしてはヤグレーザ等を用いることができる。また、赤外線受信モジュール１１の受光部の破壊方法としてはレーザに限らずその他の物理的方法を用いてもよく、例えば受光部を切削したり、圧力を加えたり、あるいは受光部に穴をあけるなどして破壊することも可能である。これらに用いる装置としては、既知のものを適宜用いることができる。
【００４０】
このようにして、図４に示すように、基材（不図示）間または基材上に上記ＩＣチップ３、電源５、表示部７、スイッチ９を配置したワンタイムパスワード生成器１が製造される。また、赤外線受信モジュール１１が破壊され無効化されている。
【００４１】
このように、カード加工後に識別情報等の入力を行うので、カード加工の際に不良が発生しても、不良のないカードに対する識別情報等の入力を行えばよいので、識別情報の入力順が乱れるなどの不都合が生じず、製造に係る負担を低減することが可能になる。識別情報等の入力は通過部を介した赤外線通信を用いて行うことにより製造コストの低減が可能になり、また、赤外線受信モジュールは識別情報等の入力後破壊するので、以降赤外線通信は不可能になり、耐タンパ性を維持し、識別番号や鍵情報の改ざん、盗み見などを防ぐことができる。
【００４２】
本発明のワンタイムパスワード生成器の製造方法等の第２の実施形態について、図５〜図７を用いて説明する。
【００４３】
本実施形態のワンタイムパスワード生成器の製造方法では、第１の実施形態と同様、ＩＣチップ３、電源５、表示部７、およびスイッチ９を有するワンタイムパスワード生成器１ａをカード加工工程において製造し、その後、顧客ごとの識別情報や鍵情報を赤外線通信を用いてＩＣチップ３のＥＥＰＲＯＭに入力するが、この際、赤外線受信モジュールはワンタイムパスワード生成器１ａの外部にある状態とし、これとＩＣチップ３とを信号線１２で接続しておく。
【００４４】
また、第２の実施形態のワンタイムパスワード生成器１ａの製造システムとしては、前述した製造システム１００と同様のものを用いることができるが、赤外線通信無効化装置１０９としては、上記信号線を切断するための、後述するカッタ等の切断装置２７が設けられる。
【００４５】
ワンタイムパスワード生成器１ａの製造方法は、前述したものと同様であるが、ワンタイムパスワード生成器１ａは、カード加工装置１０３によるカード加工時、基材（不図示）間もしくは基材上にＩＣチップ３、電源５、表示部７、およびスイッチ９を配置した図５に示す状態であり、ＩＣチップ３から外部に延びる信号線１２が出ている状態である。なお、本実施形態では、赤外線通信を行なうための前述した通過部を基材に設ける必要はない。
【００４６】
そして、赤外線入力装置１０５は、図６（ａ）に示すように、電力供給を受けた赤外線受信モジュール１１ａを信号線１２に接続し、第１の実施形態と同様、押下装置（不図示）等により所定の方法でスイッチ９を押下し、赤外線送信機２１を用いて上記の識別情報や鍵情報を入力する。
【００４７】
その後、入力判定装置１０７は、第１の実施形態と同様、例えば押下装置（不図示）により所定の方法でスイッチ９を押下するなどして、表示部７に識別情報等を表示させ、これを撮像装置等で撮影する。この画像情報に基づき、正しく入力がおこなわれたかの判定、確認を行う。
【００４８】
次に、赤外線通信無効化装置１０９は、図６（ｂ）に示すように、カッタなどの切断装置２７により、ワンタイムパスワード生成器１ａから外部に延びる信号線１２を切断して、赤外線受信モジュールを介した入力を無効化し、製造を終了する。製造を終了した状態が図７であり、基材（不図示）間または基材上に上記ＩＣチップ３、電源５、表示部７、スイッチ９を配置したワンタイムパスワード生成器１が製造される。また、信号線１２でワンタイムパスワード生成器１ａから外部に延びる部分が切断されている。信号線１２の端部は、再度赤外線受信モジュールと接続されることのないよう、端部を加工しカード外部に露出しないようにすることが望ましい。
【００４９】
なお、上記の赤外線通信時、赤外線受信モジュール１１ａの電源は電源５から採ってもよく、この場合カード加工時には電源５から外部に延びる電力線が更に出ている状態であり、赤外線通信時には信号線１２と電力線に赤外線受信モジュール１１ａを接続する。入力の確認後には、信号線１２に加え電力線も切断する。
【００５０】
本実施形態でも、第１の実施形態と同様の効果が得られる。即ち、カード加工後に識別情報等の入力を行うので、カード加工の際に不良が発生しても、不良のないカードに対する識別情報等の入力を行えばよいので、識別情報の入力順が乱れるなどの不都合が生じず、製造に係る負担を低減することが可能になる。識別情報等の入力は赤外線受信モジュールを用いて行うことにより製造コストの低減が可能になり、また、識別情報等の入力後、赤外線受信モジュールとの接続に用いた信号線を切断するので、以降赤外線受信モジュールを介した入力等が不可能になり、耐タンパ性を維持し、識別番号や鍵情報の改ざん、盗み見などを防ぐことができる。
【００５１】
以上、添付図面を参照しながら、本発明に係るワンタイムパスワード生成器の製造方法等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００５２】
１、１ａ………ワンタイムパスワード生成器
３………ＩＣチップ
５………電源
７………表示部
９………スイッチ
１１、１１ａ………赤外線受信モジュール
１２………信号線
１００………製造システム
１０３………カード加工装置
１０４………印刷装置
１０５………赤外線入力装置
１０７………入力判定装置
１０９………赤外線通信無効化装置
２０１………識別情報
２０３………鍵情報
【図１】
0005521956.tif 000002
【図２】
0005521956.tif 000003
【図３】
0005521956.tif 000004
【図４】
0005521956.tif 000005
【図５】
0005521956.tif 000006
【図６】
0005521956.tif 000007
【図７】
0005521956.tif 000008